(57)【要約】【課題】一例として、個別情報をサーバからデータを取得した機器以外の機器に記憶させることが可能な個別情報管理システムを得る。【解決手段】実施形態による個別情報管理システムは、一例として、第１電子機器および第２電子機器を備える。第１電子機器および前記第２電子機器は、互いに通信可能に接続されている。第１電子機器は、ネットワークを介して接続されたサーバから取得されるデータに対応付けられた個別情報を第１電子機器に記憶させずに第２電子機器に記憶させるように構成されている。【選択図】図６
2015011461.tif 000002
【特許請求の範囲】
【請求項１】
互いに通信可能に接続された第１電子機器および第２電子機器を備え、
前記第１電子機器は、ネットワークを介して接続されたサーバから取得されるデータに対応付けられた個別情報を前記第１電子機器に記憶させずに前記第２電子機器に記憶させるように構成されている、個別情報管理システム。
【請求項２】
前記第１電子機器は、過去に前記第２電子機器に記憶させた第１個別情報に対応しない第１データを前記サーバから取得する場合に、前記第１個別情報とは異なる第２個別情報を新たに作成して記憶する旨の第１の要求を前記第２電子機器に対して行うように構成されており、
前記第２電子機器は、前記第１電子機器により前記第１の要求が行われた場合に、前記第２個別情報を新たに作成して記憶するように構成されている、請求項１に記載の個別情報管理システム。
【請求項３】
前記第１電子機器は、前記第１個別情報に対応する第２データを前記サーバから取得する場合に、前記第１個別情報を送信する旨の第２の要求を前記第２電子機器に対して行うように構成されており、
前記第２電子機器は、前記第１電子機器により前記第２の要求が行われた場合に、前記第１個別情報を前記第１電子機器に送信するように構成されている、請求項２に記載の個別情報管理システム。
【請求項４】
前記第１電子機器は、前記第２データを前記サーバから取得する場合に、前記第２電子機器から受信した前記第１個別情報を前記サーバに送信することにより、前記第１個別情報に応じた前記第２データを前記サーバから取得するように構成されている、請求項３に記載の個別情報管理システム。
【請求項５】
前記個別情報の送信元の前記第１電子機器が存在するか否かの問い合わせが前記第２電子機器により行われるとともに、前記問い合わせに応じた返信が前記第１電子機器により行われることにより、前記第１電子機器と前記第２電子機器との間の通信が確立するように構成されている、請求項１〜４のいずれか１項に記載の個別情報管理システム。
【請求項６】
他の電子機器に通信可能に接続された電子機器であって、
ネットワークを介して前記電子機器に接続されたサーバから取得されるデータに対応付けられた個別情報を前記電子機器に記憶させずに前記他の電子機器に記憶させる制御を行う制御部を備える、電子機器。
【請求項７】
互いに通信可能に接続された第１電子機器および第２電子機器を用いた個別情報の管理方法であって、
ネットワークを介して前記第１電子機器に接続されたサーバから取得されるデータに対応付けられた個別情報を前記第１電子機器に記憶させずに前記第２電子機器に記憶させる、個別情報の管理方法。
【発明の詳細な説明】
【技術分野】
【０００１】
本発明の実施形態は、個別情報管理システム、電子機器および個別情報の管理方法に関する。
【背景技術】
【０００２】
従来、ネットワークを介してｗｅｂサーバなどのサーバからｗｅｂページなどのデータを取得する技術が知られている。このような技術では、ｗｅｂページなどのデータに対応付けられたＣｏｏｋｉｅなどの個別情報が、サーバからデータを取得した機器自身に記憶されて管理される。
【先行技術文献】
【特許文献】
【０００３】
【特許文献１】特開２００４−１７８１９３号公報
【発明の概要】
【発明が解決しようとする課題】
【０００４】
上記のような技術では、一例として、個別情報をサーバからデータを取得した機器以外の機器に記憶させることができれば望ましい。
【課題を解決するための手段】
【０００５】
実施形態による個別情報管理システムは、一例として、第１電子機器および第２電子機器を備える。第１電子機器および前記第２電子機器は、互いに通信可能に接続されている。第１電子機器は、ネットワークを介して接続されたサーバから取得されるデータに対応付けられた個別情報を第１電子機器に記憶させずに第２電子機器に記憶させるように構成されている。
【図面の簡単な説明】
【０００６】
【図１】図１は、本実施形態によるＣｏｏｋｉｅ管理システムの全体構成の一例を示した図である。
【図２】図２は、本実施形態によるテレビジョン装置およびタブレットの内部構成の一例を示したブロック図である。
【図３】図３は、本実施形態によるテレビジョン装置の表示部に表示されるブラウザ画面の一例を示した図である。
【図４】図４は、本実施形態によるタブレットの表示部に表示される第１の画面の一例を示した図である。
【図５】図５は、本実施形態によるタブレットの表示部に表示される第２の画面の一例を示した図である。
【図６】図６は、本実施形態によるＣｏｏｋｉｅ管理システムにおける処理の流れの一例を概略的に示したシーケンス図である。
【図７】図７は、本実施形態によるテレビジョン装置がｗｅｂページを表示する際にテレビジョン装置側で実行される処理フローの一例を示したフローチャートである。
【図８】図８は、本実施形態によるタブレットによりＣｏｏｋｉｅが新たに作成されて記憶される際にタブレット側で実行される処理フローの一例を示したフローチャートである。
【図９】図９は、本実施形態によるタブレットからテレビジョン装置にＣｏｏｋｉｅが送信される際にタブレット側で実行される処理フローの一例を示したフローチャートである。
【発明を実施するための形態】
【０００７】
以下、実施形態を図面に基づいて説明する。
【０００８】
まず、図１〜図４を参照して、本実施形態によるＣｏｏｋｉｅ管理システム１００の構成の一例について説明する。なお、Ｃｏｏｋｉｅ管理システム１００は、「個別情報管理システム」の一例である。
【０００９】
図１に示すように、Ｃｏｏｋｉｅ管理システム１００は、テレビジョン装置１０と、タブレット２０とを備える。なお、テレビジョン装置１０は、「電子機器」の一例であるとともに、「第１電子機器」の一例である。また、タブレット２０は、「他の電子機器」の一例であるとともに、「第２電子機器」の一例である。
【００１０】
テレビジョン装置１０は、インターネットなどのネットワーク３０を介してｗｅｂサーバ４０に接続されている。このｗｅｂサーバ４０は、ネットワーク３０を介してｗｅｂページなどのｗｅｂコンテンツを含むデータを提供するように構成されている。
【００１１】
また、テレビジョン装置１０とタブレット２０とは、互いに通信可能に接続されている。具体的には、テレビジョン装置１０は、ルータなどのアクセスポイントを必要としない無線通信規格（たとえばＷｉ−Ｆｉ  Ｄｉｒｅｃｔ（登録商標）など）に準拠した通信を行うことにより、タブレット２０との間で種々のデータ（後述するＣｏｏｋｉｅなど）を送受信することが可能なように構成されている。
【００１２】
図２に示すように、テレビジョン装置１０は、通信部１１と、表示部１２と、リモコン受信部１３と、制御部１４と、記憶部１５と、チューナ１６とを備える。また、タブレット２０は、通信部２１と、表示部２２と、操作部２３と、制御部２４と、記憶部２５とを備える。
【００１３】
テレビジョン装置１０の通信部１１は、ネットワーク３０を介してｗｅｂサーバ４０（図１参照）に接続されている。また、通信部１１は、タブレット２０の通信部２１に通信可能に接続されている。また、テレビジョン装置１０の表示部１２は、映像を表示可能に構成されている。
【００１４】
また、テレビジョン装置１０のリモコン受信部１３は、テレビジョン装置１０を操作するためのリモコン５０から送信されるリモコン信号を受信するように構成されている。また、テレビジョン装置１０の制御部１４は、テレビジョン装置１０の各部の制御を行うように構成されている。また、テレビジョン装置１０の記憶部１５は、制御部１４により実行される種々のプログラムなどを記憶するために設けられている。また、テレビジョン装置１０のチューナ１６は、放送局（図示せず）から送信される放送波を受信するために設けられている。
【００１５】
また、タブレット２０の通信部２１は、テレビジョン装置１０の通信部１１に通信可能に接続されている。また、タブレット２０の表示部２２は、映像を表示可能に構成されている。また、タブレット２０の操作部２３は、ユーザによるタブレット２０に対する操作の入力手段として機能する。この操作部２３は、たとえば表示部２２を用いたタッチパネルなどにより構成されている。
【００１６】
また、タブレット２０の制御部２４は、タブレット２０の各部の制御を行うように構成されている。また、タブレット２０の記憶部２５は、制御部２４により実行される種々のプログラムや、これら種々のプログラムが実行される際に用いられる種々のデータを記憶するために設けられている。
【００１７】
ここで、本実施形態では、テレビジョン装置１０は、ｗｅｂサーバ４０から取得されたｗｅｂページを表示部１２に表示してユーザに閲覧させるブラウジング機能を有する。具体的には、テレビジョン装置１０は、ユーザからのｗｅｂページの閲覧要求があった場合に、そのｗｅｂページを表示するためのデータを送信する旨のＨＴＴＰ（ＨｙｐｅｒＴｅｘｔ  Ｔｒａｎｓｆｅｒ  Ｐｒｏｔｏｃｏｌ）リクエストをｗｅｂサーバ４０に送信するように構成されている。なお、ｗｅｂページを表示するためのデータとは、たとえばＨＴＭＬ（ＨｙｐｅｒＴｅｘｔ  Ｍａｒｋｕｐ  Ｌａｎｇｕａｇｅ）データなどである。そして、ｗｅｂサーバ４０は、テレビジョン装置１０からＨＴＴＰリクエストを受信した場合に、そのＨＴＴＰリクエストで指定されたｗｅｂページのデータを含むＨＴＴＰレスポンスをテレビジョン装置１０に送信（返信）するように構成されている。
【００１８】
そして、テレビジョン装置１０は、ｗｅｂサーバ４０からのＨＴＴＰレスポンスを受信した場合に、そのＨＴＴＰレスポンスに含まれるデータに基づいて表示部１２にｗｅｂページを表示するように構成されている。この場合、テレビジョン装置１０は、たとえば図３に示すようなブラウザ画面ＩＭ１を表示するように構成されている。図３のブラウザ画面ＩＭ１には、一例として、ｗｅｂページＷＰと、アドレスバーＡＢとが表示されている。なお、アドレスバーＡＢには、ｗｅｂページＷＰのＵＲＬ（Ｕｎｉｖｅｒｓａｌ  Ｒｅｓｏｕｒｃｅ  Ｌｏｃａｔｏｒ）が表示されている。
【００１９】
上記のようなｗｅｂページの閲覧要求は、ユーザによるリモコン５０の操作（たとえば図３に示したブラウザ画面ＩＭ１のアドレスバーＡＢにＵＲＬを入力する操作）などに基づいて行われる。
【００２０】
ここで、同じｗｅｂページを２回以上閲覧する場合や、現在閲覧しているｗｅｂページに関連したｗｅｂページを閲覧する場合などには、ｗｅｂページの表示態様などの閲覧環境をＨＴＴＰセッション（ＨＴＴＰリクエストおよびＨＴＴＰレスポンスのやり取り）毎に引き継ぐことができれば望ましい。そこで、ＨＴＴＰセッションでは、ｗｅｂサーバ４０との間でＨＴＴＰリクエストおよびＨＴＴＰレスポンスのやり取りを行った端末（ユーザ）を識別するための個別情報として、Ｃｏｏｋｉｅが用いられる場合がある。
【００２１】
この場合において、本実施形態では、テレビジョン装置１０は、ｗｅｂサーバ４０から取得されるデータ（ｗｅｂページを表示するためのデータ）に対応付けられた個別情報（Ｃｏｏｋｉｅ）を、テレビジョン装置１０の記憶部１５に記憶させずにタブレット２０の記憶部２５に記憶させるように構成されている。
【００２２】
より具体的には、本実施形態によるテレビジョン装置１０は、過去にタブレット２０に記憶させたＣｏｏｋｉｅ（第１個別情報）に対応しないｗｅｂページのデータ（第１データ）をｗｅｂサーバ４０から取得する場合に、そのｗｅｂページに対応するＣｏｏｋｉｅ（第１個別情報とは異なる第２個別情報）を新たに作成して記憶する旨の要求（第１の要求）をタブレット２０に送信するように構成されている。なお、過去のＣｏｏｋｉｅ（第１個別情報）に対応しないデータ（第１データ）が取得される場合として、たとえば、過去に１回も閲覧されたことがないｗｅｂページが閲覧される場合などが挙げられる。そして、タブレット２０は、テレビジョン装置１０から第１の要求を受信した場合に、第１の要求において指定された新たなＣｏｏｋｉｅ（第２個別情報）を作成して記憶するように構成されている。
【００２３】
詳細には、本実施形態では、たとえば過去に閲覧されたことがないｗｅｂページが閲覧される場合には、ｗｅｂサーバ４０からテレビジョン装置１０に送信されるＨＴＴＰレスポンスに、次回以降のアクセス時に用いる新たなＣｏｏｋｉｅを指定するＳｅｔ−Ｃｏｏｋｉｅヘッダが含まれる。そして、テレビジョン装置１０は、Ｓｅｔ−Ｃｏｏｋｉｅヘッダを含むＨＴＴＰレスポンスをｗｅｂサーバ４０から受信した場合に、Ｓｅｔ−Ｃｏｏｋｉｅヘッダにより指定された新たなＣｏｏｋｉｅを作成して記憶する旨の第１の要求をタブレット２０に送信するように構成されている。そして、タブレット２０は、第１の要求をテレビジョン装置１０から受信した場合に、第１の要求において指定された新たなＣｏｏｋｉｅを作成して記憶部２５に記憶するように構成されている。
【００２４】
また、本実施形態では、テレビジョン装置１０は、過去にタブレット２０に記憶させたＣｏｏｋｉｅ（第１個別情報）に対応するｗｅｂページのデータ（第２データ）をｗｅｂサーバ４０から取得する場合に、そのｗｅｂページに対応するＣｏｏｋｉｅ（第１個別情報）を送信する旨の要求（第２の要求）をタブレット２０に送信するように構成されている。なお、過去のＣｏｏｋｉｅ（第１個別情報）に対応するデータ（第２データ）が取得される場合として、たとえば、過去に１回以上閲覧されたことがあるｗｅｂページや、そのｗｅｂページに関連したｗｅｂページ（ドメインが共通するｗｅｂページなど）が閲覧される場合などが挙げられる。そして、タブレット２０は、テレビジョン装置１０から第２の要求を受信した場合に、第２の要求において指定された過去のＣｏｏｋｉｅ（第１個別情報）を記憶部２５から読み出してテレビジョン装置１０に送信するように構成されている。なお、このようなＣｏｏｋｉｅのやり取りは、テレビジョン装置１０によって暗号化されていてもよい。
【００２５】
そして、テレビジョン装置１０は、過去に閲覧されたことがあるｗｅｂページや、そのｗｅｂページに関連するｗｅｂページが閲覧される場合には、タブレット２０から受信したＣｏｏｋｉｅを添付したＨＴＴＰリクエストをｗｅｂサーバ４０に送信することにより、そのＣｏｏｋｉｅに応じたＨＴＴＰレスポンスをｗｅｂサーバ４０から受信するように構成されている。これにより、テレビジョン装置１０の表示部１２には、過去の閲覧環境が引き継がれたｗｅｂページを含むブラウザ画面ＩＭ１（図３参照）が表示される。
【００２６】
なお、本実施形態では、上記で説明したようなＣｏｏｋｉｅ管理サービス（Ｃｏｏｋｉｅをテレビジョン装置１０ではなくタブレット２０に記憶するサービス）は、ユーザによるタブレット２０の操作に基づいて開始される。具体的には、タブレット２０は、図４に示すような第１の画面ＩＭ２を表示部２２に表示することにより、Ｃｏｏｋｉｅをタブレット２０に記憶するか否かをユーザに問い合わせるように構成されている。この第１の画面ＩＭ２には、「Ｃｏｏｋｉｅをタブレットに記憶しますか？」というメッセージと、「はい」のボタンＢ１と、「いいえ」のボタンＢ２とが表示されている。これにより、ユーザは、第１の画面ＩＭ２に表示された「はい」のボタンＢ１を押下する（タッチする）操作を行うことにより、上記のようなＣｏｏｋｉｅ管理サービスを開始させることが可能である。なお、第１の画面ＩＭ２は、ユーザによるタブレット２０の操作部２３の操作に基づいて呼び出される。
【００２７】
ここで、タブレット２０は、第１の画面ＩＭ２（図４参照）上の「はい」のボタンＢ１を押下する操作がユーザにより行われた場合に、Ｃｏｏｋｉｅを送受信可能な機器（本実施形態では、テレビジョン装置１０）が存在するか否かの問い合わせを行うように構成されている。そして、テレビジョン装置１０は、このような問い合わせをタブレット２０から受信した場合に、問い合わせに応じて、自身がＣｏｏｋｉｅを送受信可能な機器である旨をタブレット２０に通知（返信）するように構成されている。そして、このようなやり取りがタブレット２０とテレビジョン装置１０との間で行われた場合に、タブレット２０とテレビジョン装置１０との間の通信（Ｗｉ−Ｆｉ  Ｄｉｒｅｃｔ（登録商標）に準拠した無線通信）が確立する。
【００２８】
上記のようにタブレット２０とテレビジョン装置１０との間の通信が確立した場合には、タブレット２０は、図５に示すような第２の画面ＩＭ３を表示部２２に表示することにより、自身がＣｏｏｋｉｅを記憶可能な状態になった旨をユーザに通知するように構成されている。この第２の画面ＩＭ３には、「Ｃｏｏｋｉｅをタブレットに記憶可能な状態になりました」というメッセージが表示されている。なお、上記で説明したようなＣｏｏｋｉｅ管理サービスは、たとえばタブレット２０とテレビジョン装置１０との間の距離が通信不可能な程離れることなどに起因して、タブレット２０とテレビジョン装置１０との間の通信が切断された場合に停止される。
【００２９】
次に、図６を参照して、本実施形態によるＣｏｏｋｉｅ管理システム１００におけるテレビジョン装置１０、タブレット２０およびｗｅｂサーバ４０のそれぞれの処理の流れの一例を概略的に説明する。
【００３０】
まず、図６に示すように、ステップＳ１において、Ｃｏｏｋｉｅをタブレット２０に記憶させる指示をユーザがタブレット２０に対して行ったものとする。このような指示は、上記図４に示したような第１の画面ＩＭ２において「はい」のボタンＢ１が押下されることにより行われる。
【００３１】
上記ステップＳ１の指示が行われると、タブレット２０は、ステップＳ２において、Ｃｏｏｋｉｅを送受信可能な機器（本実施形態では、テレビジョン装置１０）が存在するか否かの問合せを行う。そして、テレビジョン装置１０は、このような問合せを受信すると、ステップＳ３において、自身がＣｏｏｋｉｅを送受信可能な機器である旨をタブレット２０に通知する。
【００３２】
そして、上記ステップＳ２およびＳ３の処理が行われた結果、タブレット２０とテレビジョン装置１０との間の通信（Ｗｉ−Ｆｉ  Ｄｉｒｅｃｔ（登録商標）に準拠した通信）が確立する。そして、ステップＳ４において、タブレット２０は、自身がＣｏｏｋｉｅを記憶可能な状態になった旨をユーザに通知する。具体的には、上記図４に示したような第２の画面ＩＭ３が表示部２２に表示される。
【００３３】
次に、ステップＳ５において、過去にタブレット２０に記憶されたＣｏｏｋｉｅに対応しないｗｅｂページ（たとえば、過去に閲覧されたことがないｗｅｂページ）の閲覧要求をユーザがテレビジョン装置１０に対して行った場合について説明する。
【００３４】
この場合には、閲覧要求されたｗｅｂページに対応するＣｏｏｋｉｅがタブレット２０に記憶されていないので、テレビジョン装置１０は、ステップＳ６において、Ｃｏｏｋｉｅを添付しないＨＴＴＰリクエストをｗｅｂサーバ４０に送信する。そして、ｗｅｂサーバ４０は、テレビジョン装置１０からのＨＴＴＰリクエストを受信すると、ステップＳ７において、閲覧要求されたｗｅｂページの内容を含むＨＴＴＰレスポンスをテレビジョン装置１０に送信する。
【００３５】
ここで、上記ステップＳ７のＨＴＴＰレスポンスには、次回以降のアクセス時に用いられるＣｏｏｋｉｅを指定するＳｅｔ−Ｃｏｏｋｉｅヘッダが含まれる。そして、テレビジョン装置１０は、このようなＳｅｔ−Ｃｏｏｋｉｅヘッダを含むＨＴＴＰレスポンスをｗｅｂサーバ４０から受信すると、ステップＳ８において、指定されたＣｏｏｋｉｅを新たに作成して記憶する旨の要求（第１の要求）をタブレット２０に送信する。また、このとき、テレビジョン装置１０は、ＨＴＴＰレスポンスに含まれるｗｅｂページをブラウザ画面ＩＭ１（図３参照）に表示する。
【００３６】
そして、タブレット２０は、上記のような第１の要求をテレビジョン装置１０から受信すると、指定されたＣｏｏｋｉｅを作成して記憶部２５に記憶する。なお、Ｃｏｏｋｉｅは、閲覧要求されたｗｅｂページのＵＲＬなどに対応付けられた状態で記憶部２５に記憶される。
【００３７】
次に、ステップＳ９において、過去にタブレット２０に記憶されたＣｏｏｋｉｅに対応するｗｅｂページ（たとえば、過去に閲覧されたことがあるｗｅｂページや、そのｗｅｂページに関連するｗｅｂページなど）の閲覧要求をユーザがテレビジョン装置１０に対して行った場合について説明する。
【００３８】
この場合には、閲覧要求されたｗｅｂページに対応するＣｏｏｋｉｅが過去にタブレット２０に記憶されているので、テレビジョン装置１０は、ステップＳ１０において、閲覧要求されたｗｅｂページに対応するＣｏｏｋｉｅを自身に送信する旨の要求（第２の要求）をタブレット２０に送信する。
【００３９】
そして、タブレット２０は、上記のような第２の要求をテレビジョン装置１０から受信すると、ステップＳ１１において、第２の要求において指定されたＣｏｏｋｉｅを記憶部２５から読み出してテレビジョン装置１０に送信する。そして、テレビジョン装置１０は、タブレット２０からＣｏｏｋｉｅを受信すると、ステップＳ１２において、受信されたＣｏｏｋｉｅを添付したＨＴＴＰリクエストをｗｅｂサーバ４０に送信する。
【００４０】
そして、ｗｅｂサーバ４０は、Ｃｏｏｋｉｅが添付されたＨＴＴＰリクエストをテレビジョン装置１０から受信すると、ステップＳ１３において、受信されたＣｏｏｋｉｅに応じたｗｅｂページの内容を含むＨＴＴＰレスポンスをテレビジョン装置１０に送信する。そして、テレビジョン装置１０は、ｗｅｂサーバ４０からＨＴＴＰレスポンスを受信すると、そのＨＴＴＰレスポンスに含まれるｗｅｂページをブラウザ画面ＩＭ１（図３参照）に表示する。
【００４１】
次に、図７を参照して、本実施形態によるテレビジョン装置１０がｗｅｂページを表示する際にテレビジョン装置１０側で実行される処理フローの一例について説明する。この処理フローは、たとえばユーザがリモコン５０などを用いてテレビジョン装置１０に対してｗｅｂページの閲覧を要求する旨の操作を行った場合に開始する。
【００４２】
この処理フローでは、まず、ステップＳ２１において、閲覧要求されたｗｅｂページが、過去にタブレット２０に記憶されたＣｏｏｋｉｅに対応するｗｅｂページ（たとえば、過去に閲覧されたことがあるｗｅｂページや、このｗｅｂページに関連するｗｅｂページなど）であるか否かを判断する処理が実行される。
【００４３】
上記ステップＳ２１において、閲覧要求されたｗｅｂページが、過去のＣｏｏｋｉｅに対応するｗｅｂページではないと判断された場合には、ステップＳ２２に進む。そして、ステップＳ２２において、Ｃｏｏｋｉｅを添付しないＨＴＴＰリクエストをｗｅｂサーバ４０に送信する処理が実行された後に、後述するステップＳ２６に進む。
【００４４】
一方、上記ステップＳ２１において、閲覧要求されたｗｅｂページが、過去のＣｏｏｋｉｅに対応するｗｅｂページであると判断された場合には、ステップＳ２３に進む。そして、ステップＳ２３において、閲覧要求されたｗｅｂページに対応するＣｏｏｋｉｅを送信する旨の要求（第２の要求）をタブレット２０に送信する処理が実行され、ステップＳ２４に進む。
【００４５】
そして、ステップＳ２４において、上記第２の要求において指定したＣｏｏｋｉｅをタブレット２０から受信したか否かを判断する処理が実行される。このステップＳ２４の処理は、Ｃｏｏｋｉｅが受信されたと判断されるまで繰り返される。そして、ステップＳ２４において、Ｃｏｏｋｉｅが受信されたと判断された場合には、ステップＳ２５に進む。
【００４６】
そして、ステップＳ２５において、タブレット２０から受信したＣｏｏｋｉｅを添付したＨＴＴＰリクエストをｗｅｂサーバ４０に送信する処理が実行され、ステップＳ２６に進む。
【００４７】
ステップＳ２６においては、上記ステップＳ２２またはＳ２５において送信したＨＴＴＰリクエストに対応するＨＴＴＰレスポンスをｗｅｂサーバ４０から受信したか否かを判断する処理が実行される。このステップＳ２６の処理は、ＨＴＴＰレスポンスが受信されたと判断されるまで繰り返される。そして、ステップＳ２６において、ＨＴＴＰレスポンスが受信されたと判断された場合には、ステップＳ２７に進む。
【００４８】
そして、ステップＳ２７において、受信されたＨＴＴＰレスポンスに含まれるｗｅｂページをブラウザ画面ＩＭ１（図３参照）に表示する処理が実行され、ステップＳ２８に進む。
【００４９】
ステップＳ２８においては、上記ステップＳ２７において表示されたｗｅｂページ（ブラウザ画面ＩＭ１（図３参照）に現在表示されているｗｅｂページ）に対応するＣｏｏｋｉｅがタブレット２０に記憶されているか否かを判断する処理が実行される。
【００５０】
上記ステップＳ２８において、現在表示されているｗｅｂページに対応するＣｏｏｋｉｅがタブレット２０に記憶されていないと判断された場合（たとえば過去に閲覧されたことがないｗｅｂページが現在表示されている場合）には、ステップＳ２９に進む。そして、ステップＳ２９において、現在表示されているｗｅｂページに対応するＣｏｏｋｉｅを新たに作成して記憶する旨の要求（第１の要求）をタブレット２０に送信する処理が行われ、処理が終了する。
【００５１】
一方、上記ステップＳ２８において、現在表示されているｗｅｂページに対応するＣｏｏｋｉｅが既にタブレット２０に記憶されていると判断された場合（たとえば過去に閲覧されたことがあるｗｅｂページや、そのｗｅｂページに関連するｗｅｂページが現在表示されている場合）には、上記ステップＳ２９のような処理は行われずに、そのまま処理が終了する。
【００５２】
次に、図８を参照して、本実施形態によるタブレット２０によりＣｏｏｋｉｅが新たに作成されて記憶される際にタブレット２０側で実行される処理フローの一例について説明する。この処理フローは、たとえばユーザによるリモコン５０の操作によってテレビジョン装置１０に対して過去に閲覧されたことがないｗｅｂページの閲覧要求が行われることに起因して、そのｗｅｂページに対応するＣｏｏｋｉｅを新たに作成して記憶する旨の要求（第１の要求）がテレビジョン装置１０からタブレット２０に送信された場合（上記図７のステップＳ２９参照）に開始する。
【００５３】
この処理フローでは、図８に示すように、まず、ステップＳ３１において、Ｃｏｏｋｉｅを新たに作成して記憶する旨の要求（第１の要求）をテレビジョン装置１０から受信したか否かを判断する処理が実行される。このステップＳ３１の処理は、第１の要求を受信したと判断されるまで繰り返される。そして、ステップＳ３１において、第１の要求を受信したと判断された場合には、ステップＳ３２に進む。
【００５４】
次に、ステップＳ３２において、上記第１の要求において指定されたＣｏｏｋｉｅを作成する処理が実行され、ステップＳ３３に進む。そして、ステップＳ３３において、作成したＣｏｏｋｉｅを記憶部２５に記憶する処理が実行され、処理が終了する。
【００５５】
次に、図９を参照して、本実施形態によるタブレット２０からテレビジョン装置１０にＣｏｏｋｉｅが送信される際にタブレット２０側で実行される処理フローの一例について説明する。この処理フローは、たとえばユーザによるリモコン５０の操作によってテレビジョン装置１０に対して過去に閲覧されたことがあるｗｅｂページの閲覧要求が行われることに起因して、そのｗｅｂページに対応するＣｏｏｋｉｅを送信する旨の要求（第２の要求）がテレビジョン装置１０からタブレット２０に送信された場合（上記図７のステップＳ２３参照）に開始する。
【００５６】
この処理フローでは、図９に示すように、まず、ステップＳ４１において、Ｃｏｏｋｉｅを送信する旨の要求（第２の要求）をテレビジョン装置１０から受信したか否かを判断する処理が実行される。このステップＳ４１の処理は、第２の要求を受信したと判断されるまで繰り返される。そして、ステップＳ４１において、第２の要求を受信したと判断された場合には、ステップＳ４２に進む。
【００５７】
次に、ステップＳ４２において、上記第２の要求において指定されたＣｏｏｋｉｅを記憶部２５から読み出す処理が実行され、ステップＳ４３に進む。そして、ステップＳ４３において、読み出したＣｏｏｋｉｅをテレビジョン装置１０に送信する処理が実行され、処理が終了する。
【００５８】
以上説明したように、本実施形態では、テレビジョン装置１０の制御部１４は、ネットワーク３０を介して接続されたｗｅｂサーバ４０から取得されるデータ（ｗｅｂページのデータ）に対応付けられた個別情報（Ｃｏｏｋｉｅ）をテレビジョン装置１０の記憶部１５に記憶させずにタブレット２０の記憶部２５に記憶させる制御を行うように構成されている。これにより、一例として、Ｃｏｏｋｉｅをテレビジョン装置１０以外の機器（タブレット２０）に記憶させて管理することができる。この効果は、複数のユーザによって１つのテレビジョン装置が共有される場合や、互いに異なる２個以上のテレビジョン装置間でｗｅｂページの閲覧環境を引き継ぐ場合などにおいて特に有効である。
【００５９】
また、本実施形態では、上記のように、テレビジョン装置１０の制御部１４は、過去にタブレット２０に記憶させたＣｏｏｋｉｅ（第１個別情報）に対応しないｗｅｂページのデータ（第１データ）をｗｅｂサーバ４０から取得する場合に、そのｗｅｂページに対応するＣｏｏｋｉｅ（第１個別情報とは異なる第２個別情報）を新たに作成して記憶する旨の要求（第１の要求）をタブレット２０に対して行うように構成されている。なお、過去のＣｏｏｋｉｅ（第１個別情報）に対応しないデータ（第１データ）が取得される場合として、たとえば、過去に１回も閲覧されたことがないｗｅｂページが閲覧される場合などが挙げられる。そして、タブレット２０の制御部２４は、テレビジョン装置１０により第１の要求が行われた場合に、その第１の要求において指定されたＣｏｏｋｉｅ（第２個別情報）を新たに作成して記憶部２５に記憶するように構成されている。これにより、一例として、容易に、Ｃｏｏｋｉｅをテレビジョン装置１０以外の機器（タブレット２０）に記憶させて管理することができる。
【００６０】
また、本実施形態では、上記のように、テレビジョン装置１０の制御部１４は、過去にタブレット２０に記憶させたＣｏｏｋｉｅ（第１個別情報）に対応するｗｅｂページのデータ（第２データ）をｗｅｂサーバ４０から取得する場合に、そのｗｅｂページに対応するＣｏｏｋｉｅ（第１個別情報）を送信する旨の要求（第２の要求）をタブレット２０に対して行うように構成されている。なお、過去のＣｏｏｋｉｅ（第１個別情報）に対応するデータ（第２データ）が取得される場合として、たとえば、過去に１回以上閲覧されたことがあるｗｅｂページや、そのｗｅｂページに関連したｗｅｂページ（ドメインが共通するｗｅｂページなど）が閲覧される場合などが挙げられる。そして、タブレット２０の制御部２４は、テレビジョン装置１０により第２の要求が行われた場合に、第２の要求において指定された過去のＣｏｏｋｉｅ（第１個別情報）を記憶部２５から読み出してテレビジョン装置１０に送信するように構成されている。これにより、一例として、必要な場合に必要なＣｏｏｋｉｅをタブレット２０からテレビジョン装置１０に送信することができる。
【００６１】
また、本実施形態では、上記のように、テレビジョン装置１０の制御部１４は、過去に閲覧したことがあるｗｅｂページや、そのｗｅｂページに関連するｗｅｂページを取得する旨のＨＴＴＰリクエストをｗｅｂサーバ４０に送信する場合（第２データをｗｅｂサーバ４０から取得する場合）に、タブレット２０から受信したＣｏｏｋｉｅ（第１個別情報）をｗｅｂサーバ４０に送信することにより、そのＣｏｏｋｉｅに応じたｗｅｂページを表示するためのＨＴＭＬデータなどを含むＨＴＴＰレスポンス（第１個別情報に応じた第２データ）をｗｅｂサーバ４０から取得するように構成されている。これにより、一例として、Ｃｏｏｋｉｅに応じたｗｅｂページを表示するためのＨＴＭＬデータなどを容易にｗｅｂサーバ４０から取得することができる。
【００６２】
また、本実施形態では、上記のように、Ｃｏｏｋｉｅ（個別情報）の送信元のテレビジョン装置１０が存在するか否かの問い合わせがタブレット２０により行われるとともに、問い合わせに応じた返信がタブレット２０により行われることにより、テレビジョン装置１０とタブレット２０との間の通信（Ｗｉ−Ｆｉ  Ｄｉｒｅｃｔ（登録商標）に準拠した無線通信）が確立するように構成されている。これにより、一例として、テレビジョン装置１０とタブレット２０との間の通信の確立と同時にＣｏｏｋｉｅをテレビジョン装置１０以外の機器（タブレット２０）に記憶させて管理することができる。
【００６３】
以上、本発明の実施形態を説明したが、上記実施形態はあくまで一例であって、発明の範囲を限定することは意図していない。上記実施形態は、様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【００６４】
たとえば、上記実施形態では、「電子機器（第１電子機器）」の一例としてテレビジョン装置を用いる例を示したが、本発明は、テレビジョン装置以外の電子機器（たとえばテレビジョン装置に映像を出力する録画装置やセットトップボックスなどの映像装置）にも適用可能である。
【００６５】
また、上記実施形態では、「他の電子機器（第２電子機器）」の一例としてタブレット（携帯情報端末）を用いる例を示したが、本発明は、タブレット以外の携帯情報端末（たとえばスマートフォンなど）にも適用可能であるし、携帯情報端末以外の電子機器（たとえばＰＣ：Ｐｅｒｓｏｎａｌ  Ｃｏｍｐｕｔｅｒなど）にも適用可能である。
【００６６】
また、上記実施形態では、ｗｅｂサーバとの間でやり取りされる個別情報としてＣｏｏｋｉｅを用いる例を示したが、本発明は、Ｃｏｏｋｉｅ以外の個別情報を用いることも可能である。また、上記実施形態では、テレビジョン装置とタブレットとの間でＷｉ−Ｆｉ  Ｄｉｒｅｃｔ（登録商標）に準拠した無線通信が行われる例を示したが、本発明は、テレビジョン装置とタブレットとの間でＷｉ−Ｆｉ  Ｄｉｒｅｃｔ（登録商標）以外の通信規格に準拠した通信が行われるように構成されていてもよい。
【符号の説明】
【００６７】
１０  テレビジョン装置（電子機器、第１電子機器）
１４  制御部
２０  タブレット（他の電子機器、第２電子機器）
３０  ネットワーク
４０  ｗｅｂサーバ
１００  Ｃｏｏｋｉｅ管理システム（個別情報管理システム）
【図１】
2015011461.tif 000003
【図２】
2015011461.tif 000004
【図３】
2015011461.tif 000005
【図４】
2015011461.tif 000006
【図５】
2015011461.tif 000007
【図６】
2015011461.tif 000008
【図７】
2015011461.tif 000009
【図８】
2015011461.tif 000010
【図９】
2015011461.tif 000011